(57)【要約】【課題】  複雑な形の紙の裁断や、接着剤が不要であり、紙の消費量が少ないため環境にやさしく、長時間安定して紙コップの保持が可能な紙カップホルダーを提供する。 【解決手段】  カップホルダーは、長方形の形状を有しその大きさと幾何学的形状が持ち運びに使用する紙袋の底とほぼ同一の形状と大きさを有し、液体の入った紙コップを保持するのに十分な強度を持った厚紙からなるカップ支持台１０と、前記紙コップ支持台１０の上面にあり、紙コップ１２の底面を粘着するのに十分な幅と粘着強度および再剥離性を兼ね備えた粘着テープ１１より構成される。 【選択図】  図１
0003133613.tif 000002
【実用新案登録請求の範囲】
【請求項１】
飲料の入った紙コップを支えるのに十分な強度をもった台紙と、前記台紙の上面に塗布された粘着テープからなり、紙コップ底面を前記粘着テープと接触することで前記台紙の上面にカップを保持し、飲用時には前記紙コップが粘着テープより再剥離可能であることを特徴とするカップホルダー
【請求項２】
粘着テープの台紙上の塗布領域が内径30mm以上、外径80mm以下の円環状であることを特徴とする請求項１に記載のカップホルダー
【請求項３】
粘着テープの台紙上の塗布領域が幅5mm以上、長さ30mm以上の２つの長方形からなり、２つの長方形の間隔が20mm以上であることを特徴とする請求項１に記載のカップホルダー
【請求項４】
台紙の底面が剥離紙であることを特徴とする請求項１に記載のカップホルダー
【請求項５】
前記台紙の材質が紙、プラスチックまたは発砲スチロールまたはアクリルの材料であることを特徴とする請求項１記載のカップホルダー
【考案の詳細な説明】
【技術分野】
【０００１】
本考案は、使い捨てカップの転倒を防止するホルダーに関し、低コストと機能性を具備するカップホルダーに関する。
【背景技術】
【０００２】
従来の技術は例えば図２のように上部でカップ側面を支えるための上部カップ支持台２１、紙コップ底面を下から支える下部カップ支持台２２、紙カップホルダーの側面を支える側面部支持台２４、紙カップホルダーの中央部を支える中央部支持台２３、紙カップホルダーに任意のサイズの紙コップ１２を設置した場合に、その空孔２６の大きさを調整するためのサイズ調整弁２５からなる。
【考案の開示】
【考案が解決しようとする課題】
【０００３】
前記のように従来の組み立て式のカップホルダーの構成では図３に示すように紙を各パーツの形状に合わせ、複雑な形に裁断する必要があった。また、前述のように上部でカップ側面を支えるための上部カップ支持台２１、紙コップ底面を下から支える下部カップ支持台２２の上下２枚の紙と他に、これを立体的に構成するための側面部支持台２４と紙カップホルダーの中央部を支える中央部支持台２３の紙が必要であり、さらに生産時にこれらのパーツを接着剤で張り合わせ、組み立てる作業が必要であった。
【０００４】
従来のホルダーは完成後に折りたたみが可能であり、ある程度の省スペースは確保できるものの、折りたたんだ状態でも、紙の厚みに相当する分だけ嵩張るため、ストックするためのスペースをある程度は確保する必要があった。さらに従来のカップホルダーは顧客のドリンクの注文に応じて店員が一々組み立てる必要があった。これらの理由で、従来のものは紙の消費量が大きく、また組み立てを含めた全体の生産コストが高くなり、使い勝手も良くないという問題があった。本考案は複雑な形に裁断や、接着剤が不要であり、紙の消費量が少ないため環境にやさしく、長時間安定して紙コップの保持が可能な紙カップホルダーを提供することにある。
【課題を解決するための手段】
【０００５】
本考案の紙カップホルダーは厚紙の上面に紙コップの底面部に粘着して紙コップが転倒しないように長時間保持し、必要に応じて再剥離可能な粘着テープと、前記厚紙の下面には、本考案の紙カップホルダーを重ねたときに前後の紙ホルダー同士が粘着されるのを防止するための剥離紙を備えたことを特徴とする。
【考案の効果】
【０００６】
本考案はカップホルダーのベースとなる台紙が単純な形状をした厚紙のみであり、紙コップの保持に再剥離可能な粘着テープを用いることから、複雑な形の裁断や、接着剤での加工が不要であり、紙の消費量が少なく環境にやさしい紙カップホルダーを提供できる。
【考案を実施するための最良の形態】
【０００７】
厚紙を台紙とする上面に、紙コップのS、M、Lの各サイズの接地面を包含する面積に粘着テープを貼り、持ち運び時は前記台紙の粘着面に紙コップの底面を粘着させ、また前記厚紙の下面には剥離紙をもち、別の紙コップホルダーの粘着テープとの粘着を防止する構造をもつ紙カップホルダーを特徴とする。
【実施例】
【０００８】
以下、図面を参照しながら、本考案の一実施形態について説明する。
図１は本考案の一実施形態に係るカップホルダーの概略構成を示す立体図である。図１のカップホルダーは、長方形の形状を有しその大きさと幾何学的形状が持ち運びに使用する紙袋の底とほぼ同一の形状と大きさを有し、液体の入った紙コップを保持するのに十分な強度を持った厚紙からなるカップ支持台１０と、前記カップ支持台１０の上面にあり、紙コップ１２の底面を粘着するのに十分な幅をもった粘着テープ１１より構成される。具体的にはカップ支持台１０はW125mm×H75mm×D1mmの長方形を形に切り抜いた厚紙からなり、この厚紙の中心から内径40mm、外径60mmの領域に粘着テープ１１を張り付けてある。粘着テープ１１は例えばアクリル樹脂系粘着テープであり、このアクリル系粘着剤を粘着テープの原料とし、カップ支持台１０を基材に用いている。さらにこのアクリル系粘着剤は例えばアクリル酸エステルモノマーを極性の強いモノマーと共重合させて粘着性を出している。粘着剤は液体飲料の入ったカップを長時間保持するのに十分な粘着性能と、持ち運ぶカップとカップ支持台１０の再剥離性を両立させている。使用した粘着テープ１１の原料となる粘着剤は保持力、粘着強さ等のいずれの粘着性能にも優れ、かつカップ１２を長期間保持した後においても、カップ支持台１０からカップを再剥離する際にテープが千切れず、しかもカップ１２に糊残りすることなく剥離することができ、再剥離性がよいことを確認した。
【０００９】
図２は従来のカップホルダーの考案例の立体図である。カップホルダーは上部カップ支持台２１、下部カップ支持台２２、前記上部カップ支持台２１と前記下部カップ支持台２２の間にあり、前記上部カップ支持台２１を支えるための中央部支持台２３と側面部支持台２４からなり、上部カップ支持台２１には紙コップ１２を差し込むための空孔２６があり、前記空孔２６は支持すべき紙コップの直径より若干大きな径であり、また保持する紙コップを、弾力のあるサイズ調整弁２６で支えることで紙コップ保持する構造になっている。これらの材質は厚紙を使用しており、製造時に上部カップ支持台２１、下部カップ支持台２２、前記上部カップ支持台２１を支えるための中央部支持台２３、側面支持台２４等をそれぞれ接着して貼り合わせる必要がある。
【００１０】
図３は図２に示す従来のカップホルダーの展開図である。1枚の厚紙を図に示すような複雑な輪郭に裁断し、各折り目に沿ってホルダーを一々組み立て、その後接着材で固定する必要がある。このため紙の消費量が多く、生産の手間がかかり、製造コストが高くなるという問題があった。
【００１１】
図４は本考案の一実施形態に係るカップホルダーの粘着剤の塗布領域を示す概略図である。実施例ではW130mm×H80mm×D0.5mmの長方形の形状ともつ厚紙をカップ支持台１０としており、保持すべきカップの底面の直径に合わせて粘着剤を塗布している。実施例ではSサイズ、Mサイズ、Lサイズのそれぞれの直径をもつカップの形状に対応するため、粘着テープ１１の塗布剤を内径45mm、外径65mmの円環状の領域に塗布した。このようなカップホルダーは移動を伴う使い捨てカップの保持力に優れ、持ち運びによっても紙コップ１２がカップ支持版１０から剥離もしくは、転倒することも無く、また飲用時には紙コップ１２のカップ支持版１０からの再剥離性にも優れていることがわかった。
【００１２】
図５は本考案の別の一実施形態に係るカップホルダーの粘着剤の塗布領域を示す概略図である。ここでは粘着テープ１１の粘着剤がカップ支持版１０の上部に帯状に２ヵ所平行になるように塗布されている。実施例ではW110mm×H70mm×D0.1mmの長方形の形状をもつ厚紙をカップ支持台１０として用い、この上面に幅10mm、長さ60mm、間隔30mmで帯状に粘着剤を塗布している。粘着剤の塗布面が本実施例のように直線であっても、粘着テープの長さが保持すべきカップの底面の径より大きいため、カップ底面と粘着剤が着実に接触することにより、良好な保持力が得られた。
【００１３】
図６は本考案の一実施形態に係るカップホルダーの構成を示す横断面図である。厚紙からなるカップ支持台１０の上面に粘着テープ１１の粘着剤がある厚みをもって塗布されている。
【００１４】
図７は本考案の一実施形態に係る複数のカップホルダーの構成を示す横断面図である。厚紙からなるカップ支持台１０の上面に粘着テープ１１が貼り合わせてあり、前記カップ支持台１０の底面には剥離紙１４が貼り合わせてある。カップホルダーの粘着テープ１１の粘着剤上面は前記剥離紙１４を通して上に重ねられている別のカップホルダーの剥離紙と接触することで、カップホルダー同士が粘着することなく剥離が容易になる。
【００１５】
図８は本考案の一実施形態に係るカップホルダーの平面図である。厚紙からなるカップ支持台１０にはカップを支える中央付近およびカップ支持台の周囲を除き、空孔２６が設けられている。カップ支持台１０の中央部には２ヵ所に粘着テープ１１が塗布されており、この部分にカップ底面を粘着することでカップを保持する構成になっている。カップ支持台１０に使用した紙は折れ曲がったりすることなしに、液体の入ったカップを長時間支えるのに十分な強度を持っている。このようにカップ支持台に平面の紙を使用しないで、帯状の紙を使用することで紙の消費量を抑制することが可能となる。
なお、本考案ではカップ支持台１０の材料に厚紙を使用しておるが、これに限らずプラスチック、発砲スチロール、アクリル等の材料を用いてもよい。
【図面の簡単な説明】
【００１６】
【図１】本考案の一実施形態に係るカップホルダーの概略構成を示す立体図
【図２】従来のカップホルダーの立体図。
【図３】図2に示す従来のカップホルダーの展開図。
【図４】本考案の一実施形態に係るカップホルダーの粘着剤の塗布領域を示す概略図
【図５】本考案の別の一実施形態に係るカップホルダーの粘着剤の塗布領域を示す概略図
【図６】本考案の別の一実施形態に係るカップホルダーの構成を示す横断面図
【図７】本考案の一実施形態に係る複数のカップホルダーの構成を示す横断面図
【図８】本考案の一実施形態に係るカップホルダーの構成を示す平面図
【符号の説明】
【００１７】
１０  カップ支持台
１１  粘着テープ
１２  紙コップ
１４  剥離紙
２１  上部カップ支持台
２２  下部カップ支持台
２３  中央部支持台
２４  側面部支持台
２５  サイズ調整弁
２６  空孔
【図１】
0003133613.tif 000003
【図２】
0003133613.tif 000004
【図３】
0003133613.tif 000005
【図４】
0003133613.tif 000006
【図５】
0003133613.tif 000007
【図６】
0003133613.tif 000008
【図７】
0003133613.tif 000009
【図８】
0003133613.tif 000010